(57)【特許請求の範囲】
【請求項１】
複数の格子を伸縮自在に連結した伸縮格子体と、
この伸縮格子体の上下方向に間隔を置いて位置する複数の格子連結部の端部に亘ってそれぞれ取付けた複数の縦桟を備え、
前記縦桟は、断面略コ字形状で開口部を有すると共に、外力によって拡開変形し、外力がなくなると弾性復元する形態で、その内面に一対の摺動用内向片と一対の固定用内向片を有し、前記一対の固定用内向片に切欠部が形成され、
前記複数の格子連結部における少なくとも１つの格子連結部の端部は固定子で、この固定子は、前記切欠部に係合する係合片と、前記一対の摺動用内向片に接して縦桟を拡開変形するテーパー部と、前記一対の摺動用内向片が嵌まり合う環状凹部を有し、前記縦桟を短手方向に向けて移動して開口部に押し込むことで前記切欠部に係合片が固定部に係合して縦桟を長手方向に移動しないようにする形態で、
残りの格子連結部の端部は摺動子で、この摺動子は、前記一対の摺動用内向片に接して縦桟を拡開口変形するテーパー部と、前記一対の摺動用内向片が嵌まり合う環状凹部を有し、前記縦桟を短手方向に向けて移動して開口部に押し込むことで前記摺動用内向片に環状凹部が嵌まり合い長手方向に摺動自在に取付けられる形態としたことを特徴とする伸縮門扉。
【請求項２】
複数の格子を伸縮自在に連結した伸縮格子体と、
この伸縮格子体の上下方向に間隔を置いて位置する複数の格子連結部の端部に亘ってそれぞれ取付けた複数の縦桟を備え、
前記縦桟は、断面略コ字形状で開口部を有すると共に、その内面に一対の摺動用内向片と一対の固定用内向片を有し、前記一対の固定用内向片に切欠部が形成され、
前記複数の格子連結部における少なくとも１つの格子連結部の端部は固定子で、この固定子は、外力によってつぶれ変形し、外力がなくなると弾性復元する部分と、この部分に設けられ前記切欠部に係合する係合片と、前記一対の摺動用内向片が嵌まり合う環状凹部を有し、前記縦桟を長手方向に向けて移動することでつぶれ変形し、外力がなくなると弾性復元して前記切欠部に係合片が係合して縦桟を長手方向に移動しないようにする形態で、
残りの格子連結部の端部は摺動子で、この摺動子は、前記一対の摺動用内向片が嵌まり合う環状凹部を有し、前記縦桟を長手方向に向けて移動することで前記摺動用内向片に環状凹部が嵌まり合い長手方向に摺動自在に取付けられる形態としたことを特徴とする伸縮門扉。
【発明の詳細な説明】
【０００１】
【発明の属する技術分野】
本発明は、車の出入口や人の出入口等に設置する伸縮門扉に関する。
【０００２】
【従来の技術】
伸縮門扉は、複数の格子をＸ字形状に順次連続して回動自在に連結した伸縮格子体と、この伸縮格子体の格子連結部に取付けた複数の縦桟を備えたものが知られている。
１つの縦桟は複数の格子連結部に取付けられ、その少なくとも１つの格子連結部は縦桟に固定され、残りの格子連結部は縦桟に沿って長手方向に移動自在に支承される。
例えば、特開平９−２３５９６８号公報に示すように、格子を回動自在に連結する１つの軸を縦桟にビスで固定し、格子を連結する他の軸に摺動子を設け、この摺動子を前記縦桟に沿って摺動自在に支承している。
これによって、伸縮格子体を伸縮することで複数の縦桟が上下移動せずに垂直姿勢を維持して離隔、接近する。
【０００３】
【発明が解決しようとする課題】
前述のように、格子連結部（軸）を縦桟にビスで固定すると、そのビスが外観から見えるので、外観の見栄えが悪い伸縮門扉となってしまう。
【０００４】
本発明は、前述の課題に鑑みなされたもので、その目的は、格子連結部を縦桟に固定する部分が外観から見えずに外観の見栄えが良い伸縮門扉を提供することである。
【０００５】
【課題を解決するための手段】
第１の発明は、複数の格子２を伸縮自在に連結した伸縮格子体３と、
この伸縮格子体３の上下方向に間隔を置いて位置する複数の格子連結部４の端部に亘ってそれぞれ取付けた複数の縦桟５を備え、
前記縦桟５は、断面略コ字形状で開口部５ｃを有すると共に、外力によって拡開変形し、外力がなくなると弾性復元する形態で、その内面に一対の摺動用内向片２３と一対の固定用内向片２４を有し、前記一対の固定用内向片２４に切欠部２５が形成され、
前記複数の格子連結部４における少なくとも１つの格子連結部４の端部は固定子１５で、この固定子１５は、前記切欠部２５に係合する係合片３４と、前記一対の摺動用内向片２３に接して縦桟５を拡開変形するテーパー部３１と、前記一対の摺動用内向片２３が嵌まり合う環状凹部３３を有し、前記縦桟５を短手方向に向けて移動して開口部５ｃに押し込むことで前記切欠部２５に係合片４が固定部５ｄに係合して縦桟５を長手方向に移動しないようにする形態で、
残りの格子連結部４の端部は摺動子１２で、この摺動子１２は、前記一対の摺動用内向片２３に接して縦桟５を拡開口変形するテーパー部３１と、前記一対の摺動用内向片２３が嵌まり合う環状凹部３３を有し、前記縦桟５を短手方向に向けて移動して開口部５ｃに押し込むことで前記摺動用内向片２３に環状凹部３３が嵌まり合い長手方向に摺動自在に取付けられる形態としたことを特徴とする伸縮門扉である。
【０００７】
第２の発明は、複数の格子２を伸縮自在に連結した伸縮格子体３と、
この伸縮格子体３の上下方向に間隔を置いて位置する複数の格子連結部４の端部に亘ってそれぞれ取付けた複数の縦桟５を備え、
前記縦桟５は、断面略コ字形状で開口部５ｃを有すると共に、その内面に一対の摺動用内向片２３と一対の固定用内向片２４を有し、前記一対の固定用内向片２４に切欠部２５が形成され、
前記複数の格子連結部４における少なくとも１つの格子連結部４の端部は固定子１５で、この固定子１５は、外力によってつぶれ変形し、外力がなくなると弾性復元する部分と、この部分に設けられ前記切欠部２５に係合する係合片３４と、前記一対の摺動用内向片２３が嵌まり合う環状凹部３３を有し、前記縦桟５を長手方向に向けて移動することでつぶれ変形し、外力がなくなると弾性復元して前記切欠部２５に係合片３４が係合して縦桟５を長手方向に移動しないようにする形態で、
残りの格子連結部４の端部は摺動子１２で、この摺動子１２は、前記一対の摺動用内向片２３が嵌まり合う環状凹部３３を有し、前記縦桟５を長手方向に向けて移動することで前記摺動用内向片２３に環状凹部３３が嵌まり合い長手方向に摺動自在に取付けられる形態としたことを特徴とする伸縮門扉である。
【０００９】
【作用】
第１の発明によれば、伸縮格子体３の格子連結部４に対して縦棧５を短手方向に移動し、その開口部を格子連結部４の端部に押し込むことで、少なくとも１つの格子連結部４の端部の固定子１５の係合片３４が縦棧５の切欠部２５に係合して取付けられると共に、残りの格子連結部４の端部の摺動子１２の環状凹部３３が縦桟５の一対の摺動用内向２３に嵌まり合って長手方向に摺動自在に取付けられる。
よって、縦棧５を短手方向に移動することで少なくとも１つの格子連結部４の端部が縦棧５に長手方向に移動しないように固定され、残りの格子連結部４の端部は縦棧５の長手方向に移動自在に取付けできる。
また、縦棧５の内面に一対の固定用内向片２４が設けてあり、その固定用内向片２４の切欠部２５に固定子１５の係合片３４を係合して固定しているから、伸縮格子体３に縦棧５を取付けた状態では、格子連結部４と縦棧５の固定部（固定用内向片２４、固定子１５の係合片３４）が外観に見えない。
よって、固定部が外観から見えない見栄えの良い伸縮門扉である。
【００１０】
また、固定子１５、摺動子１２のテーパー部３１によって縦棧５が拡開変形し、一対の摺動用内向片２３が各環状凹部３３に嵌まり合うと縦棧５が弾性復元して係合片３４が切欠部２５に係合する。
よって、縦棧５を短手方向に移動して固定子１５、摺動子１２に押しつけることで、その縦棧５を容易に取付けできる。
【００１１】
第２の発明によれば、伸縮格子体３の格子連結部４に対して縦棧５を長手方向に移動することで、少なくとも１つの格子連結部４の端部の固定子１５がつぶれ変形し、その係合片３４が縦棧５の切欠部２５と合致すると弾性復元して切欠部２５に係合して取付けられると共に、残りの格子連結部４の端部の摺動子１２の環状凹部３３が縦桟５の一対の摺動用内向片２３に嵌まり合い、長手方向に摺動自在に取付けられる。
よって、縦棧５を長手方向に移動することで少なくとも１つの格子連結部４の端部が縦棧５に長手方向に移動しないように固定され、残りの格子連結部４の端部は縦棧５の長手方向に移動自在に取付けできる。
また、縦棧５の内面に一対の固定用内向片２４が設けてあり、その固定用内向片２４の切欠部２５に固定子１５の係合片３４を係合して固定しているから、伸縮格子体３に縦棧５を取付けた状態では、格子連結部４と縦棧５の固定部（固定用内向片２４、固定子１５の係合片３４）が外観に見えない。
よって、固定部が外観から見えない見栄えの良い伸縮門扉である。
【００１２】
また、固定子１５の係合片３４を設けた部分がつぶれ変形し、その係合片３４が切欠部２５に合致すると弾性復元して係合片３４が切欠部２５に係合する。縦棧５の一対の摺動用内向片２３は固定子１５、摺動子１２の環状凹部３３に嵌まり合って長手方向にスムーズに移動する。
よって、縦棧５を長手方向に移動することで、その縦棧５を容易に取付けできる。
【００１３】
【発明の実施の形態】
図１に示すように、伸縮門扉１は複数の格子２を伸縮自在に連結、例えばＸ字形状に順次連続して回動自在に連結した伸縮格子体３と、この伸縮格子体３の上下方向に間隔を置いて位置する複数の格子連結部４の端部に取付けた複数の縦桟５と、いくつかの縦桟５の下部に取付けた車輪６を備えている。
この実施の形態では１つの縦桟５は、上下方向に間隔を置いて位置する第１・第２・第３格子連結部４−１，４−２，４−３の端部に亘って取付けてあり、上下中間の第２格子連結部４−２の端部が縦桟５に固定され、上方、下方の第１・第３格子連結部４−１，４−３の端部は縦桟５に沿って長手方向（上下方向）に移動自在に取付けてある。
前記伸縮格子体３は見付け方向（図１で左右方向）に伸縮し、その伸縮方向一端部の縦桟５は一方の支柱７に、見込み方向（伸縮方向と直角方向）に揺動自在に取付けられ、他端部の縦桟５は他方の支柱８に係脱自在に支持される。前記両端部の縦桟５は他の縦桟５よりも見付け寸法が大きいが同一でも良い。
なお、車輪６は取付けなくとも良い。
【００１４】
前記格子２は伸縮方向と直角方向（見込み方向）の一側寄りの第１格子２ａと他側寄りの第２格子２ｂを備え、その第１格子２ａの上端部と第２格子２ｂの上端部が第１格子連結部４−１で回動自在に連結される。
例えば、図２と図３に示すように、第１格子２ａの上端部と第２格子２ｂの上端部に孔１０をそれぞれ形成し、軸１１を摺動子１２、孔１０、カラー１３、孔１０、摺動子１２に挿入し、その軸１１の端部にリベット１４を打ち込み固定して第１格子２ａと第２格子２ｂを間隔を置いて回動自在に連結すると共に、摺動子１２をそれぞれ取付ける。
つまり、第１格子連結部４−１は両端部に摺動子１２を有する。
【００１５】
前記軸１１は図３に示すように、中空形状（パイプ）で、長手方向一端部にフランジ１１ａを有し、長手方向他端部１１ｂは小径となっている。
前記フランジ１１ａが一方の摺動子１２に当接して抜け止めし、リベット１４が小径部と大径部との境部分１１ｃにかかるようにしてある。
このように、軸１１の他端部１１ｂを小径としたことによって、摺動子１２、孔１０、カラー１３、孔１０、摺動子１２に軸１１を挿入し易いと共に、リベット１４を強固に支持できる。
【００１６】
前記第１格子２ａの長手方向中間部と第２格子２ｂの長手方向中間部が第２格子連結部４−２でＸ字形状で、かつ回動自在に連結される。
例えば、図４に示すように第１・第２格子２ａ，２ｂの長手方向中間部に孔１０を形成し、軸１１を固定子１５、孔１０、カラー１３、孔１０、固定子１５に挿入し、その軸１１にリベット１４を打ち込んで連結する。
この孔１０、軸１１、カラー１３、リベット１４は前述と同様である。つまり、固定子１５と摺動子１２が異なるのみで、他は同一で、第２格子連結部４−２は両端部に固定子１２を有する。
【００１７】
前記第１格子２ａの下端部と第２格子２ｂの下端部が第３格子連結部４−３で回動自在に連結される。
例えば、図５に示すように第１格子２ａの下端部と第２格子２ｂの下端部に孔１０を形成し、軸１１を摺動子１２、孔１０、カラー１３、孔１０、摺動子１２に挿入し、リベット１４を打ち込んで取付ける。
つまり、第３格子連結部４−３は前述の第１格子連結部４−１と同一である。
【００１８】
前記縦桟５は第１・第２・第３格子連結部４−１，４−２，４−３の両端部（摺動子１２、固定子１５、摺動子１２）に亘ってそれぞれ取付けてある。つまり、縦桟５は伸縮格子体３の見込み方向両側にそれぞれ取付けてある。
この見込み方向両側に設けた縦桟５の上端部間に跨って上部キャップ５ａ、下端部間に跨って下部キャップ５ｂが図１に示すように、それぞれ取付けてある。なお、縦桟５は第１・第２・第３格子連結部４−１，４−２，４−３の一方の端部に亘ってのみ取付けても良く、この場合には他方の摺動子１２、固定子１５が不要である。
【００１９】
前記縦桟５は図６に示すように、見込み方向に開口した開口部５ｃを長手方向に連続して有する形状で、その開口部５ｃ内に固定部５ｄとガイド部５ｅを有する。
例えば、縦桟５は一側板２０と他側板２１と連結板２２で断面ほぼコ字形状（この実施の形態では断面Ｃ字形状）のアルミ押出形材の長尺材で、開口部５ｃを有すると共に、外力によって拡開変形可能である。
前記一側板２０の内面と他側板２１の内面とには摺動用内向片２３と固定用内向片２４が相対向して長手方向に連続して一体的に設けてある。
【００２０】
前記摺動用内向片２３は開口縁に一体的に設けられ、前記ガイド部５ｅを形成する。この摺動用内向片２３は開口縁よりも奥側に設けても良い。また、摺動用内向片２３の代わりに凹溝を形成してガイド部５ｅとしても良い。
前記固定用内向片２４は摺動用内向片２３よりも奥側に一体的に設けられ、この固定用内向片２４の長手方向中間部に切欠部２５が形成され、この切欠部２５と固定用内向片２４で前記固定部５ｄを形成している。
なお、固定用内向片２４に穴を形成して固定部５ｄとしても良いし、固定用内向片２４を開口縁に向いた鉤形状として固定部５ｄとしても良い。
【００２１】
前記固定用内向片２４の突出寸法が摺動用内向片２３の突出寸法よりも大きく、一対の固定用内向片２４間の寸法は一対の摺動用内向片２３間の寸法よりも小さい。
【００２２】
前記第２格子連結部４−２の端部、例えば固定子１５は、縦桟５を短手方向に移動することで前記切欠部２５（固定部５ｄ）に長手方向に移動しないように係合する形状である。
このようであるから、縦桟５を、開口部５ｃを固定子１５に向けて短手方向に移動することで固定子１５が切欠部２５に係合して長手方向に移動しないように固定される。
また、固定した状態では固定子１５、切欠部２５などが外観から見えず、外観の見栄えが良い。
【００２３】
前記固定子１５の一例を図６に基づいて説明する。
前記固定子１５は基部３０と、この基部３０と連続したテーパー部３１と、テーパー部３１の先端面３１ａに設けた突部３２と、前記基部３０に形成した環状凹部３３と、前記突部３２に設けた一対の係合片３４と、基部３０から突部３２まで貫通した軸孔３５を有する。
【００２４】
前記基部３０は断面円形で、その基端寄り部３０ａの径は縦桟５の一側板２０と他側板２１との外面間隔（つまり、外幅）よりも大きく、先端寄り部分３０ｂの径は縦板５の一側板２０と他側板２１との内面間隔（つまり、内幅）よりも小さい。
前記テーパー部３１は断面長円形状で、その最小径は一対の摺動用内向片２３間の寸法とほぼ同一である。
前記突部３２は径方向に対向した一対の円弧面３２ａと径方向に対向した一対の平担面２３ｂを有し、その一対の平担面３２ｂ間の寸法が前記一対の固定用内向片２４間の寸法よりも小さく、この各平担面３２ｂに係合片３４がそれぞれ一体的に設けてあり、この一対の係合片３４は前記一対の切欠部２５に嵌まり合う形状・大きさである。
【００２５】
前記第１・第３格子連結部４−１，４−３の端部、例えば摺動子１２は、縦桟５を短手方向に移動することで、そのガイド部５ｅ、例えば一対の摺動用内向片２３に沿って長手方向に摺動自在に取付けられる形状である。
例えば、前記摺動子１２は図２、図５に示すように、前記固定子１５における一対の係合片３４を有しない形状と同一形状である。
【００２６】
次に、伸縮格子体３に縦桟５を取付ける手順を説明する。
伸縮格子体３の第１・第２・第３格子連結部４−１，４−２，４−３の端部に向けて縦桟５を短手方向に移動し、その開口部を各端部に押しつけることで、図７（ａ）、図８（ａ）に示すように、固定子１５の突部３２、摺動子１２の突部３２が縦桟５の開口部５ｃに入り込み、一対の摺動用内向片２３が各テーパー部３１に接する。
縦桟５を強い力で押しつけることで、図７（ｂ）、図８（ｂ）に示すように縦桟５が順次拡開変形して押し込められる。
最終的には図７（ｃ）、図８（ｃ）に示すように一対の摺動用内向片２３が各環状凹部３３に嵌まり込むと共に、突起３２が一対の固定用内向片２４間に突出する。
固定子１５の一対の係合片３４が切欠部２５に係合して固定子１５は長手方向に移動しないように固定される。
摺動子１２は図８（ｃ）に示すように一対の摺動用内向片２３に沿って長手方向に摺動自在に支承される。
【００２７】
前述のようにして取付ける時に、摺動子１２、固定子１５のテーパー部３１は断面長円形であるから、突部３２の一対の平坦面３２ｂが一対の固定用内向片２４と平行となった正しい取付姿勢に対して若干の角度がついている場合でも、前述のようにして縦桟５を押しつけることで固定子１５、摺動子１２が軸１１に対して若干の角度だけ回転して前述の正しい取付姿勢に矯正される。
【００２８】
前述のようにして縦桟５を取付ける場合には、固定子１５の係合片３４と縦桟５の固定用内向片２４の切欠部２５を正確に位置合わせし、その両者が嵌まり合うようにする。
このことが面倒である場合には、図６に示すように固定用内向片２４における切欠部２５の近くに補助切欠部２６を形成する。この補助切欠部２６の深さは切欠部２５と同一で、長手方向寸法が切欠部２５よりも大きく、固定子１５の係合片３４が隙間を置いて入り込むようにしてある。
【００２９】
これによって、固定子１５の係合片３４と補助切欠部２６の位置合わせが容易となるので、前述と同様にして固定子１５を補助切欠部２６に取付ける。
その後に縦桟５を長手方向に移動して補助切欠部２６の斜面２６ａを係合片３４に押しつけて縦桟５を拡開変位させ、係合片３４を切欠部２５に嵌合して固定子１５を固定する。
【００３０】
このようにすれば、面倒な位置決めが不要となるから、縦桟５の取付け作業が容易となる。
【００３１】
次に、第２の実施の形態を説明する。
前記第２格子連結部４−２の端部、例えば固定子１５を外力によってつぶれ変形し、外力がなくなると弾性復元することで縦桟５の固定部５ｄに係合して長手方向に移動しない形態とする。
【００３２】
例えば、固定子１５を図９に示す形状とする。
具体的には、基部３０と、テーパー部３１と、環状凹部３３と、係合片３４と軸孔３５を備え、そのテーパー部３１は断面長円形の筒状で、一対のスリット３６と、一対のスリット状溝３７を周方向に９０度位相をずらして有する形状で、このスリット状溝３７よりも先端寄りに係合片３４が一体的に設けてある。
固定子１５は前述の形状であるから、そのテーパー部３１における係合片３４を設けた径方向に対向した部分は外力によってつぶれ変形し、その外力がなくなると弾性復元する。
【００３３】
縦桟５の一対の固定用内向片２４の長手方向端部に切欠部２４ａをそれぞれ形成し、この一対の切欠部２４ａ間に一対の係合片３４が入り込むようにする。
【００３４】
伸縮格子体３に縦棧５を取付ける場合は、伸縮格子体３の第１・第２・第３格子連結部４−１、４−２、４−３に対して縦棧５を長手方向から移動して取付ける。
例えば、図１０に示すように縦棧５を長手方向に移動して一対の固定用内向片２４の切欠部２４ａを固定子１５の一対の係合片３４に嵌め込む。
この時、一対の摺動用内向片２３は固定子１５の環状凹部３３に嵌まり込む。なお、図１０においては理解を容易とするために固定子１５はテーパー部３１と一対の係合片３４のみを図示してある。
【００３５】
縦棧５を押し下げると図１０に一点鎖線で示すように、一対の係合片３４が一対の固定用内向片２４の対向端面に接してテーパー部３１がつぶれ変形する。
縦棧５を更に押し下げて図１０に二点鎖線で示すように、一対の係合片３４が切欠部２５に合致すると、テーパー部３１が弾性復元し、一対の係合片３４が一対の切欠部２５に係合する。
これによって、固定子１５が縦棧５に長手方向に移動しないように固定される。
【００３６】
この実施の形態の場合には、摺動子１２は固定子１５の係合片３４を有しない形状でも良いし、前述の第１の実施の形態における摺動子１２と同一形状でも良い。
また、第１・第２・第３格子連結部４−１，４−２，４−３の一端部にのみ縦棧５を取付けるようにしても良い。この場合には一方の摺動子１２、固定子１５は不要である。
また、一対の縦棧５の上端部又は下端部を一体的に連結して縦棧５は略Ｕ字形状としても良い。
【００３７】
前述の各実施の形態では、第１・第２・第３格子連結部４−１，４−２，４−３の端部に亘って縦棧５を取付けしたが、これに限ることはなく、伸縮格子体３の格子の数が図１と異なり、上下方向に間隔を置いて位置する格子連結部の数が３つとは異なる場合には、その各格子連結部の端部に亘って縦棧５を取付ければ良い。
すなわち、上下方向に間隔を置いて位置する複数の格子連結部に亘って縦棧５を取付ければ良い。好ましくは縦棧５が垂直姿勢で相互に平行に取付ければ良い。
そして、少なくとも１つの格子連結部の端部を縦棧５に固定し、残りの格子連結部の端部を長手方向に移動自在に取付ければ良い。
【００３８】
【発明の効果】
請求項１に係る発明によれば、伸縮格子体の格子連結部に対して縦棧を短手方向に移動し、その開口部を格子連結部の端部に押し込むことで、少なくとも１つの格子連結部の端部の固定子の係合片が縦棧の切欠部に係合して取付けられると共に、残りの格子連結部の端部の摺動子の環状凹部が縦桟の一対の摺動用内向に嵌まり合って長手方向に摺動自在に取付けられる。
よって、縦棧を短手方向に移動することで少なくとも１つの格子連結部の端部が縦棧に長手方向に移動しないように固定され、残りの格子連結部の端部は縦棧の長手方向に移動自在に取付けできる。
また、縦棧の内面に一対の固定用内向片が設けてあり、その固定用内向片の切欠部に固定子の係合片を係合して固定しているから、伸縮格子体に縦棧を取付けた状態では、格子連結部と縦棧の固定部（固定用内向片、固定子の係合片）が外観に見えない。
よって、固定部が外観から見えない見栄えの良い伸縮門扉である。
【００３９】
また、固定子、摺動子のテーパー部によって縦棧が拡開変形し、一対の摺動用内向片が各環状凹部に嵌まり合うと縦棧が弾性復元して係合片が切欠部に係合する。
よって、縦棧を短手方向に移動して固定子、摺動子に押しつけることで、その縦棧を容易に取付けできる。
【００４０】
請求項２に係る発明によれば、伸縮格子体の格子連結部に対して縦棧を長手方向に移動することで、少なくとも１つの格子連結部の端部の固定子がつぶれ変形し、その係合片が縦棧の切欠部と合致すると弾性復元して切欠部に係合して取付けられると共に、残りの格子連結部の端部の摺動子の環状凹部が縦桟の一対の摺動用内向片に嵌まり合い、長手方向に摺動自在に取付けられる。
よって、縦棧を長手方向に移動することで少なくとも１つの格子連結部の端部が縦棧に長手方向に移動しないように固定され、残りの格子連結部の端部は縦棧の長手方向に移動自在に取付けできる。
また、縦棧の内面に一対の固定用内向片が設けてあり、その固定用内向片の切欠部に固定子の係合片を係合して固定しているから、伸縮格子体に縦棧を取付けた状態では、格子連結部と縦棧の固定部（固定用内向片、固定子の係合片）が外観に見えない。
よって、固定部が外観から見えない見栄えの良い伸縮門扉である。
【００４１】
また、固定子の係合片を設けた部分がつぶれ変形し、その係合片が切欠部に合致すると弾性復元して係合片が切欠部に係合する。縦棧の一対の摺動用内向片は固定子、摺動子の環状凹部に嵌まり合って長手方向にスムーズに移動する。
よって、縦棧を長手方向に移動することで、その縦棧を容易に取付けできる。
【図面の簡単な説明】
【図１】伸縮門扉の外観図である。
【図２】第１格子連結部の分解斜視図である。
【図３】第１格子連結部の連結状態の断面図である。
【図４】第２格子連結部の分解斜視図である。
【図５】第３格子連結部の分解斜視図である。
【図６】第２格子連結部と縦棧の斜視図である。
【図７】固定子と縦棧の取付け動作説明図である。
【図８】摺動子と縦棧の取付け動作説明図である。
【図９】第２の実施の形態を示す第２格子連結部と縦棧の斜視図である。
【図１０】固定子と縦棧の取付け動作説明図である。
【符号の説明】
１…伸縮門扉、２…格子、３…伸縮格子体、４…格子連結部、５…縦棧、５ｃ…開口部、５ｄ…固定部、５ｅ…ガイド部、１２…摺動子、１５…固定子、２３…摺動用内向片、２４…固定用内向片、２５…切欠部、３１…テーパー部、３４…係合片。
【図１】
0003978742.tif 000002
【図２】
0003978742.tif 000003
【図３】
0003978742.tif 000004
【図４】
0003978742.tif 000005
【図５】
0003978742.tif 000006
【図６】
0003978742.tif 000007
【図７】
0003978742.tif 000008
【図８】
0003978742.tif 000009
【図９】
0003978742.tif 000010
【図１０】
0003978742.tif 000011